(57)【要約】【課題】優れた防水性を有し、容易に取り付けることができるエスカレーター用防水カバーを実現する。【解決手段】エスカレーターＥの両側のハンドベルトＢに跨るサイズを有するロール状に巻かれた防水シート材１０を、エスカレーターＥの上側から下側にハンドベルトＢに沿って巻き解しつつ配設していき、その防水シート材１０を複数の固定部材２０でハンドベルトＢに固定するようにして、優れた防水性を有するエスカレーター用防水カバー１００をエスカレーターＥに容易に取り付けることを可能にした。【選択図】図１
2018002430.tif 000002
【特許請求の範囲】
【請求項１】
停止状態のエスカレーターに装着するエスカレーター用防水カバーであって、
前記エスカレーターの両側の欄干部のハンドベルトに跨り、そのハンドベルトに沿って配設されて前記欄干部の間の踏段上方を覆う防水シート材と、
前記防水シート材を前記ハンドベルトに固定する弾性変形可能な固定部材と、
を備え、
前記固定部材は、
前記ハンドベルトの輪郭に対応した形状を有し、前記ハンドベルトに係着する一対の係着部と、
前記一対の係着部の間にあって、両側のハンドベルトに跨っている前記防水シート材を前記ハンドベルトの上面よりも低く抑え込む押圧部を備えていることを特徴とするエスカレーター用防水カバー。
【請求項２】
前記固定部材は、少なくとも２つの押圧部を備えており、その押圧部の間には前記防水シート材と接触しない折曲部が設けられていることを特徴とする請求項１に記載のエスカレーター用防水カバー。
【請求項３】
前記防水シート材は、ロール状に巻かれた当該防水シート材が前記ハンドベルトに沿って巻き解された状態で配設されており、
前記防水シート材の少なくとも一方の縁には、その長手方向に沿う鎖線状の指標が所定のピッチで設けられていることを特徴とする請求項１又は２に記載のエスカレーター用防水カバー。
【請求項４】
前記エスカレーターの下側で前記ハンドベルトが略水平となる箇所において、前記防水シート材が前記エスカレーターの上側に向けて谷折りされ、その谷折り目よりも上側で前記防水シート材が前記エスカレーターの下側に向けて山折りされた状態で、前記防水シート材が積層されている箇所を有し、
前記谷折り目よりも上側の前記防水シート材には開口が形成されており、その開口に集水具が取り付けられていることを特徴とする請求項１〜３の何れか一項に記載のエスカレーター用防水カバー。
【請求項５】
前記エスカレーターの乗降口に開閉可能に設けられている床板を覆う床板用防水シート材を備えたことを特徴とする請求項１〜４の何れか一項に記載のエスカレーター用防水カバー。
【発明の詳細な説明】
【技術分野】
【０００１】
本発明は、エスカレーター用防水カバーに関する。
【背景技術】
【０００２】
従来、駅のホームに向かう昇降機としてエスカレーターが設置されている。
そのエスカレーターの上方には屋根が設置されているが、台風などの暴風雨時には雨水がエスカレーターに吹き込んでしまうことがある。
エスカレーターの内部に雨水が浸入すると故障などのトラブルの原因になるので、エスカレーターに雨水がかかるのを防止するために取り付けるエスカレーター用防水カバーが知られている（例えば、特許文献１参照。）。
【先行技術文献】
【特許文献】
【０００３】
【特許文献１】特開２０１０−１４３７４８号公報
【発明の概要】
【発明が解決しようとする課題】
【０００４】
しかしながら、上記特許文献１の防水カバーは、主にエスカレーターのハンドベルトの内側への浸水を防ぐために、エスカレーターの乗り口あるいは降り口の手摺部分に固定して使用するものなので、エスカレーターの踏段にまで雨水が吹き込む暴風雨時には十分に機能しないことがあるという問題があった。
【０００５】
本発明の目的は、優れた防水性を有し、容易に取り付けることができるエスカレーター用防水カバーを提供することである。
【課題を解決するための手段】
【０００６】
上記目的を達成するため、この発明は、
停止状態のエスカレーターに装着するエスカレーター用防水カバーであって、
前記エスカレーターの両側の欄干部のハンドベルトに跨り、そのハンドベルトに沿って配設されて前記欄干部の間の踏段上方を覆う防水シート材と、
前記防水シート材を前記ハンドベルトに固定する弾性変形可能な固定部材と、
を備え、
前記固定部材は、
前記ハンドベルトの輪郭に対応した形状を有し、前記ハンドベルトに係着する一対の係着部と、
前記一対の係着部の間にあって、両側のハンドベルトに跨っている前記防水シート材を前記ハンドベルトの上面よりも低く抑え込む押圧部を備えるようにした。
【０００７】
かかる構成のエスカレーター用防水カバーは、エスカレーターの両側のハンドベルトに跨り、そのハンドベルトに沿って配設された防水シート材が、両側のハンドベルトに係着する一対の係着部を備えた固定部材で固定される構造を有しており、容易に取り付けることが可能になっている。
そして、このエスカレーター用防水カバーは、エスカレーターの両側の欄干部のハンドベルトに跨る防水シート材が欄干部の間の踏段を覆っているので、ハンドベルトや踏段に雨水が降りかからないようにすることができ、優れた防水性を有している。
【０００８】
特に、このエスカレーター用防水カバーは、防水シート材をハンドベルトに固定するための固定部材が、両側のハンドベルトに跨っている防水シート材をハンドベルトの上面よりも低く抑え込む押圧部を備えているので、防水シート材の幅方向中央側に凹状の溝を形成するようにして、その防水シート材の表面を流れる雨水の流路をつくることができる。
この流路はハンドベルトの上面よりも低い位置にあるので、エスカレーター用防水カバーの防水シート材に降りかかった雨水がハンドベルトを越えてエスカレーターの両側に流れ出ないようになっており、防水シート材の表面を流れる雨水をエスカレーターの下側に誘導することができる。
こうしてエスカレーターの下側に雨水を誘導して集めることができれば、その排水処理を行い易くなる。
【０００９】
また、望ましくは、
前記固定部材は、少なくとも２つの押圧部を備えており、その押圧部の間には前記防水シート材と接触しない折曲部が設けられているようにする。
【００１０】
両側のハンドベルトに跨っている防水シート材をハンドベルトの上面よりも低く抑え込む２つの押圧部の間に、防水シート材と接触しない折曲部が設けられていれば、防水シート材の表面を流れる雨水が押圧部の間をスムーズに通過することができ、好適に流路を流れ下ることができる。
また、折曲部があることで、固定部材を湾曲させるなど弾性変形させて、長さ調整し易くなる。
【００１１】
また、望ましくは、
前記防水シート材は、ロール状に巻かれた当該防水シート材が前記ハンドベルトに沿って巻き解された状態で配設されており、
前記防水シート材の少なくとも一方の縁には、その長手方向に沿う鎖線状の指標が所定のピッチで設けられているようにする。
【００１２】
ロール状に巻かれた防水シート材を両側のハンドベルトに跨らせ、防水シート材をハンドベルトに沿って巻き解しつつ配設していき、その防水シート材を複数の固定部材で順次ハンドベルトに固定するようにすれば、エスカレーター用防水カバーをエスカレーターに容易に取り付けることができる。
特に、防水シート材の縁の鎖線状の指標の位置がハンドベルトに対し一定となるように防水シート材を配設するようにすれば、両側のハンドベルトに跨る防水シート材がずれることなく、ハンドベルトに沿って好適に設置することができる。
また、鎖線状の指標に基づいて固定部材を取り付けるようにすれば、ほぼ等間隔に固定部材を設置することができる。
【００１３】
また、望ましくは、
前記エスカレーターの下側で前記ハンドベルトが略水平となる箇所において、前記防水シート材が前記エスカレーターの上側に向けて谷折りされ、その谷折り目よりも上側で前記防水シート材が前記エスカレーターの下側に向けて山折りされた状態で、前記防水シート材が積層されている箇所を有し、
前記谷折り目よりも上側の前記防水シート材には開口が形成されており、その開口に集水具が取り付けられているようにする。
【００１４】
エスカレーターの下側でハンドベルトが略水平となる箇所において、防水シート材に谷折り目と山折り目を形成するように折り返して、防水シート材を積層する箇所を設ければ、エスカレーターの傾斜にならって防水シート材の表面を流れ下った雨水が谷折り目よりも先に行かないようにすることができる。
そして、その谷折り目よりも上側の防水シート材に集水具が取り付けられているので、ハンドベルトが略水平となる箇所に集まる雨水は集水具に流れ込むようになっており、集水具を介して排水することができる。
【００１５】
また、望ましくは、
前記エスカレーターの乗降口に開閉可能に設けられている床板を覆う床板用防水シート材を備えるようにする。
【００１６】
エスカレーターの乗降口に設けられている床板は、エスカレーターの駆動部がある機械室の扉を兼ねているので、その床板を覆う床板用防水シート材を設けることで、機械室に雨水が浸水することを防ぐことができる。
【発明の効果】
【００１７】
本発明によれば、優れた防水性を有し、容易に取り付けることができるエスカレーター用防水カバーが得られる。
【図面の簡単な説明】
【００１８】
【図１】本実施形態のエスカレーター用防水カバーを示す斜視図である。
【図２】ロール状に巻かれた防水シート材を示す斜視図である。
【図３】固定部材を示す斜視図である。
【図４】集水具を示す分解斜視図である。
【図５】エスカレーター用防水カバーをエスカレーターに取り付ける手順に関する説明図である。
【図６】エスカレーター用防水カバーをエスカレーターに取り付ける手順に関する説明図である。
【図７】エスカレーター用防水カバーをエスカレーターに取り付ける手順に関する説明図である。
【図８】エスカレーター用防水カバーをエスカレーターに取り付ける手順に関する説明図である。
【図９】エスカレーター用防水カバーをエスカレーターに取り付ける手順に関する説明図である。
【図１０】エスカレーター用防水カバーをエスカレーターに取り付ける手順に関する説明図である。
【図１１】エスカレーター用防水カバーをエスカレーターに取り付ける手順に関する説明図である。
【発明を実施するための形態】
【００１９】
以下、図面を参照して、本発明に係るエスカレーター用防水カバーの実施形態について詳細に説明する。但し、以下に述べる実施形態には、本発明を実施するために技術的に好ましい種々の限定が付されているが、本発明の範囲を以下の実施形態及び図示例に限定するものではない。
なお、エスカレーターは、多数の踏段と同期して移動するハンドベルトを備えた周知の昇降機であるので、ここでは詳述しない。
【００２０】
エスカレーター用防水カバー１００は、エスカレーターＥに雨水がかかるのを防止するため、停止状態のエスカレーターＥに装着して使用する防水カバーである。
本実施形態のエスカレーター用防水カバー１００は、例えば、図１に示すように、エスカレーターＥの両側の欄干部ＲのハンドベルトＢに跨り、そのハンドベルトＢに沿って配設された防水シート材１０と、防水シート材１０をハンドベルトＢに固定する複数の固定部材２０を備えている。
また、このエスカレーター用防水カバー１００は、エスカレーターＥの乗降口に開閉可能に設けられている床板Ｆを覆う床板用防水シート材３０を備えている。
【００２１】
防水シート材１０は、欄干部Ｒの間の踏段Ｓの上方を覆うように両側のハンドベルトＢに跨って配設されている。
防水シート材１０の幅方向のサイズは、エスカレーターＥの幅よりも広く、ハンドベルトＢを覆った防水シート材１０の端が欄干部Ｒの外面に触れるようになっている。
この防水シート材１０は、例えば、厚さ０．０３ｍｍのポリエチレン製のラップシートであり、エスカレーターＥに装着する前は、図２に示すように、ロール状に巻かれて保管されている。
つまり、エスカレーター用防水カバー１００を構成する防水シート材１０は、ロール状に巻かれた防水シート材１０がハンドベルトＢに沿って巻き解された状態で配設されている。なお、ポリエチレン製のラップシートである防水シート材１０は密着性に優れているので、ハンドベルトＢに張り付けるように装着することができる。
特に、防水シート材１０の一方の縁には、その長手方向に沿う鎖線状の指標１１が所定のピッチで設けられている。本実施形態では、長さ４０ｃｍの指標１１が１７ｃｍの間隔をあけて繰り返しプリントされている。
【００２２】
また、図１に示すように、エスカレーターＥの下側でハンドベルトＢが略水平となる箇所において、防水シート材１０には後述する集水具５０が取り付けられている。
【００２３】
固定部材２０は、例えば、図３に示すように、塩化ビニルなどの樹脂材料を帯状に成型してなる弾性変形可能な部材である。
固定部材２０は、両端部に設けられている一対の係着部２１と、一対の係着部２１の間に設けられている押圧部２２を備えている。
係着部２１は、ハンドベルトＢの輪郭に対応した形状を有しており、ハンドベルトＢとの間に防水シート材１０を挟み込んでハンドベルトＢに係着することで、防水シート材１０をハンドベルトＢに固定する機能を有している。
【００２４】
押圧部２２は、両側のハンドベルトＢに跨っている防水シート材１０をハンドベルトＢの上面よりも低く抑え込む機能を有している。
押圧部２２は、固定部材２０の長手方向中央側にあり、対を成して側面視略Ｗ形状を呈する第１押圧部２２ａと、第１押圧部２２ａの両側にあり、第１押圧部２２ａよりも防水シート材１０との接触面積が広くて長い第２押圧部２２ｂを有している。
この固定部材２０の押圧部２２が、両側のハンドベルトＢに跨っている防水シート材１０をハンドベルトＢの上面よりも低く抑え込み、防水シート材１０の幅方向中央側に凹状の溝を形成するようにして、その防水シート材１０の表面を流れる雨水の流路をつくることができる。
つまり、防水シート材１０をハンドベルトＢに固定した固定部材２０によって防水シート材１０上にハンドベルトＢの上面よりも低い流路がつくられるので、エスカレーター用防水カバー１００の防水シート材１０に降りかかった雨水がハンドベルトＢを越えてエスカレーターＥの両側に流れ出ないようになっている。
そして、エスカレーター用防水カバー１００の防水シート材１０に降りかかった雨水は、エスカレーターＥの傾斜にならって流路を流れ下り、エスカレーターＥの下側の防水シート材１０に取り付けられた集水具５０に流れ込むようになっている。
【００２５】
特に、固定部材２０は、図３に示すように、対を成す第１押圧部２２ａの間と、第１押圧部２２ａと第２押圧部２２ｂの間に、防水シート材１０と接触しない折曲部２３を有している。
固定部材２０が防水シート材１０と接触しない折曲部２３を有していることで、防水シート材１０上の流路を流れる雨水が押圧部２２（第１押圧部２２ａ、第２押圧部２２ｂ）に堰き止められてしまうことなく、押圧部２２の間をスムーズ通過し好適に流路を流れ下ることができる。
【００２６】
また、固定部材２０は、一対の係着部２１の間に第１押圧部２２ａと第２押圧部２２ｂとが形成されてなる側面視略波型を呈する帯状の部材であり、その波型の折曲部分が伸びたり撓んだり弾性変形することで、固定部材２０は伸縮可能になっている。
つまり、エスカレーターＥの両側のハンドベルトＢに、固定部材２０の両端の係着部２１をそれぞれ係着する際、一旦伸ばした固定部材２０が復元することで、固定部材２０を両側のハンドベルトＢに架け渡した状態に好適に取り付けることができる。
【００２７】
床板用防水シート材３０には、防水シート材１０と同じポリエチレン製のラップシートを用いている。
エスカレーターＥの乗降口に設けられている床板Ｆは、エスカレーターＥの駆動部がある機械室の扉を兼ねているので、この床板Ｆにも雨水がかからないように床板用防水シート材３０で覆っている。
なお、床板Ｆを覆った床板用防水シート材３０がずれないように、シート固定具４０を用いて床板用防水シート材３０を床面に固定している。
本実施形態では、床板Ｆに磁力でつくマグネットゴム板をシート固定具４０として用いている。
【００２８】
集水具５０は、例えば、図４に示すように、集水具本体５１と、集水具本体５１の上部に螺着するリング状の蓋体５２を備えている。
蓋体５２には、蓋体５２を集水具本体５１に螺着する際に掴む把手５２ａが設けられている。この把手５２ａはリング状の蓋体５２の直径方向に沿って設けられている。
また、集水具本体５１の下部には、排水管６０を繋ぐ接続部５１ａが設けられている。
この集水具５０は排水管６０を通じて、防水シート材１０に降りかかった雨水を、例えば所定の排水路に流すために設けられている。
【００２９】
次に、本実施形態のエスカレーター用防水カバー１００をエスカレーターＥに取り付ける手順について説明する。
【００３０】
まず、図５に示すように、エスカレーターＥの上側の乗降口に設けられている床板Ｆを床板用防水シート材３０で覆い、シート固定具４０で固定する。
次いで、図５に示すように、欄干部Ｒの上端側半円部分のハンドベルトＢに防水シート材１０を固定部材２０で固定し、その防水シート材１０をハンドベルトＢのインレット部にまで配設する。
なお、ここでは、床板用防水シート材３０を設置した後、ハンドベルトＢに防水シート材１０を取り付けたが、半円部分のハンドベルトＢに防水シート材１０を取り付けた後に床板用防水シート材３０を設置してもよい。
また、ポリエチレン製のラップシート（ロール状に巻かれた防水シート材１０）を切り分けず、床板用防水シート材３０と防水シート材１０を一体に配設してもよい。
【００３１】
次いで、図６に示すように、エスカレーターＥの踏段Ｓに作業員が入り、ロール状に巻かれた防水シート材１０の端部を先に取り付けた防水シート材１０の上に重ねるように固定部材２０で固定する。
このとき、ロール状に巻かれた防水シート材１０が、両側のハンドベルトＢに跨るようにしている。
なお、ここでは、半円部分のハンドベルトＢに防水シート材１０を取り付けた後、その防水シート材１０に重ねるようにロール状に巻かれた防水シート材１０の端部を固定したが、ロール状に巻かれた防水シート材１０を切り分けず、インレット部近傍のハンドベルトＢにロール状に巻かれた防水シート材１０の端部を固定部材２０で固定するようにしてもよい。
【００３２】
次いで、図７に示すように、エスカレーターＥの上側から下側に、ロール状に巻かれた防水シート材１０をハンドベルトＢに沿って巻き解しつつ配設していき、その防水シート材１０を固定部材２０でハンドベルトＢに固定する。
このとき、例えばハンドベルトＢを基準にして、防水シート材１０の縁にプリントされている鎖線状の指標１１の位置がハンドベルトＢに対し一定となるように、防水シート材１０を巻き解すようにすれば、両側のハンドベルトＢに跨る防水シート材１０がずれることなく、ハンドベルトＢに沿って配設することができ、防水シート材１０で欄干部Ｒの間の踏段Ｓを覆うことができる。
また、鎖線状の指標１１に基づいて固定部材２０を取り付けるようにすれば、ほぼ等間隔に固定部材２０を設置することができる。本実施形態では、２つの指標１１毎に固定部材２０を取り付け、約１００ｃｍ間隔に設置した固定部材２０によって防水シート材１０をハンドベルトＢに固定している。なお、固定部材２０の設置間隔は、エレベーターＥの長さやエレベーターＥに当たる風量（風速・風向）などに応じて適正に設定すればよい。例えば、４つの指標１１毎に固定部材２０を取り付け、約２００ｃｍ間隔に固定部材２０を設置してもよい。
そして、固定部材２０で防水シート材１０をハンドベルトＢに固定しつつ、防水シート材１０の幅方向中央側に雨水の流路をつくることができる。
【００３３】
次いで、図８に示すように、エスカレーターＥの下側でハンドベルトＢが略水平となる箇所において、防水シート材１０に集水具５０を取り付けるために、リング状のゴム部材５３を防水シート材１０に貼付し、そのゴム部材５３の内周側の防水シート材１０を切り取って開口を形成する。
次いで、図９に示すように、防水シート材１０に貼付したゴム部材５３の下に集水具本体５１を配し、そのゴム部材５３を挟み込むようにゴム部材５３の上から集水具本体５１に蓋体５２を螺着して、防水シート材１０に集水具５０を取り付ける。また、集水具５０には排水管６０を取り付ける。
こうして、防水シート材１０に集水具５０を取り付けると、集水具５０の重みで防水シート材１０が下に撓むので、防水シート材１０上の流路を流れ下った雨水が集水具５０に流れ込み易くなる。
【００３４】
次いで、図１０に示すように、エスカレーターＥの下側でハンドベルトＢが略水平となる箇所であって集水具５０より下流側の位置において、防水シート材１０をエスカレーターＥの上流側に向けて谷折りして谷折り目１０ａを形成する。
更に、その谷折り目１０ａよりも上側で防水シート材１０をエスカレーターＥの下側に向けて山折りして山折り目１０ｂを形成する。
こうして、エスカレーターＥの下側でハンドベルトＢが略水平となる箇所に、防水シート材１０に谷折り目１０ａと山折り目１０ｂを形成し、防水シート材１０を積層してなる止水部１２を設けている。
このような止水部１２を設ければ、防水シート材１０上の流路を流れ下った雨水が谷折り目１０ａよりも先には行かず、集水具５０に流れ込むようになる。
【００３５】
次いで、図１１に示すように、防水シート材１０をハンドベルトＢのインレット部にまで配設して固定部材２０で固定する。
更に、図１１に示すように、エスカレーターＥの下側の乗降口に設けられている床板Ｆを床板用防水シート材３０で覆い、シート固定具４０で固定する。
なお、ロール状に巻かれた防水シート材１０を切り分けず、防水シート材１０と床板用防水シート材３０を一体に配設しても、ロール状に巻かれた防水シート材１０を切り分けて、防水シート材１０と床板用防水シート材３０を別体に配設してもよい。
このようにして、エスカレーター用防水カバー１００をエスカレーターＥに取り付けることができる。
【００３６】
以上のように、本実施形態のエスカレーター用防水カバー１００は、両側のハンドベルトＢに跨るサイズを有するロール状に巻かれた防水シート材１０を、エスカレーターＥの上側から下側にハンドベルトＢに沿って巻き解しつつ配設していき、その防水シート材１０を複数の固定部材２０でハンドベルトＢに固定するようにして、容易に取り付けることができる。
【００３７】
そして、このエスカレーター用防水カバー１００は、エスカレーターＥの両側の欄干部ＲのハンドベルトＢに跨り、そのハンドベルトＢに沿って配設された防水シート材１０が欄干部Ｒの間の踏段Ｓを覆っているので、ハンドベルトＢや踏段Ｓに雨水が降りかからない構造を有している。
また、エスカレーターＥの乗降口に設けられている床板Ｆを床板用防水シート材３０で覆っているので、床板Ｆの下にある機械室に雨水が浸水しないようになっている。
このように、本実施形態のエスカレーター用防水カバー１００は、エスカレーターＥやその設備に雨水がかからないようにすることができる優れた防水性を有している。
【００３８】
特に、本実施形態のエスカレーター用防水カバー１００は、両側のハンドベルトＢに跨っている防水シート材１０をハンドベルトＢに固定するための固定部材２０が、その防水シート材１０をハンドベルトＢの上面よりも低く抑え込むことで、防水シート材１０の表面を流れる雨水の流路をつくることができるので、防水シート材１０に降りかかった雨水をエスカレーターＥの下側に誘導することができる。
そして、エスカレーターＥの下側でハンドベルトＢが略水平となる箇所において、防水シート材１０には集水具５０が取り付けられており、その集水具５０を介して雨水を排水することができるので、防水シート材１０に降りかかった雨水がエスカレーターＥの周囲を水浸しにすることがないようにすることができる。
【００３９】
このように、エスカレーター用防水カバー１００は、エスカレーターＥやその設備に雨水がかからないようにする機能に加え、防水シート材１０に降りかかった雨水がエスカレーターＥの周囲に溜まらないようにする機能を有している優れた防水カバーである。
【００４０】
なお、以上の実施の形態においては、長さ４０ｃｍの指標１１が１７ｃｍの間隔をあけて繰り返しプリントされているとしたが、本発明はこれに限定されるものではなく、指標１１の長さやその間隔の寸法（ピッチ）は任意である。
【００４１】
また、固定部材２０の押圧部２２や折曲部２３は、本実施形態のものに限らず、その数や形状は任意である。
例えば、本実施形態の第２押圧部２２ｂは平坦な面を防水シート材１０に押し当てる形状を有しているが、第２押圧部２２ｂは半円状の曲面を防水シート材１０に押し当てる形状を有していてもよい。
また、第１押圧部２２ａと第２押圧部２２ｂの間の折曲部２３は、比較的平坦なアーチ形状を有しているが、半円状のアーチ形状を有していてもよい。
【００４２】
また、その他、具体的な細部構造等についても適宜に変更可能であることは勿論である。
【符号の説明】
【００４３】
１０    防水シート材
１０ａ  谷折り目
１０ｂ  山折り目
１１    指標
２０    固定部材
２１    係着部
２２    押圧部
２２ａ  第１押圧部
２２ｂ  第２押圧部
２３    折曲部
３０    床板用防水シート材
４０    シート固定具
５０    集水具
５１    集水具本体
５１ａ  接続部
５２    蓋体
５２ａ  把手
５３    ゴム部材
６０    排水管
１００  エスカレーター用防水カバー
Ｅ      エスカレーター
Ｒ      欄干部
Ｂ      ハンドベルト
Ｓ      踏段
Ｆ      床板
【図１】
2018002430.tif 000003
【図２】
2018002430.tif 000004
【図３】
2018002430.tif 000005
【図４】
2018002430.tif 000006
【図５】
2018002430.tif 000007
【図６】
2018002430.tif 000008
【図７】
2018002430.tif 000009
【図８】
2018002430.tif 000010
【図９】
2018002430.tif 000011
【図１０】
2018002430.tif 000012
【図１１】
2018002430.tif 000013